(57)【要約】【課題】  構造物に取り付けたセンサから得た振動データに基づいて、リアルタイムに当該構造物の異常又はその予兆を検知できる異常判別方法及びそのシステムを提供すること。【解決手段】  構造物から測定される振動データを状態判別モデルに入力することにより、構造物の異常を判別する異常判別方法及びそのシステムである。本発明のシステムは、振動データを測定する振動センサと、正常振動データ及び異常振動データを含むビッグデータを格納するデータベースと、状態判別モデルを内蔵した演算ユニットと、を含み、状態判別モデルは、上記ビッグデータに基づいて人工知能を含む機械学習及び統計学的手法を用いることにより作成したものであり、演算ユニットは、状態判別モデルに測定された振動データを入力し、当該状態判別モデルからの演算結果に基づいて、構造物の現在状態を判別する判別装置をさらに含む。【選択図】図１
2020165672.tif 000002
【特許請求の範囲】
【請求項１】
構造物から測定される振動データを状態判別モデルに入力することにより、前記構造物の異常を判別する構造物の異常判別方法であって、
前記状態判別モデルは、データベースに格納されている正常振動データ及び異常振動データを含むビッグデータに基づいて、人工知能を含む機械学習及び統計学的手法を用いることにより作成したものであり、
前記状態判別モデルに測定された前記振動データを入力し、当該状態判別モデルからの演算結果に基づいて、前記構造物の現在状態を判別することを特徴とする構造物の異常判別方法。
【請求項２】
前記正常振動データ及び前記異常振動データは、構造解析を用いた演算により生成されたものを含むことを特徴とする請求項１記載の構造物の異常判別方法。
【請求項３】
前記振動データは複数の測定箇所によって測定され、前記状態判別モデルは、前記複数の測定箇所における前記振動データを同時に入力して前記演算結果を出力することを特徴とする請求項１又は２に記載の構造物の異常判別方法。
【請求項４】
前記現在状態が異常と判別された場合に、警報を発することを特徴とする請求項１〜３のいずれか１項に記載の構造物の異常判別方法。
【請求項５】
前記振動データは遠隔地により測定されたものであり、前記遠隔地で測定された前記振動データを用いて前記現在状態の判別を実行することを特徴とする請求項１〜４のいずれか１項に記載の構造物の異常判別方法。
【請求項６】
前記現在状態が判別された前記振動データを、前記正常振動データあるいは前記異常振動データとして前記ビッグデータに追加することを特徴とする請求項１〜５のいずれか１項に記載の構造物の異常判別方法。
【請求項７】
構造物から測定される振動データを状態判別モデルに入力することにより、前記構造物の異常を判別する構造物の異常判別システムであって、
前記振動データを測定する振動センサと、正常振動データ及び異常振動データを含むビッグデータを格納するデータベースと、前記状態判別モデルを内蔵した演算ユニットと、を含み、
前記状態判別モデルは、前記ビッグデータに基づいて人工知能を含む機械学習及び統計学的手法を用いることにより作成したものであり、
前記演算ユニットは、前記状態判別モデルに測定された前記振動データを入力し、当該状態判別モデルからの演算結果に基づいて、前記構造物の現在状態を判別する判別装置をさらに含むことを特徴とする構造物の異常判別システム。
【請求項８】
前記正常振動データ及び前記異常振動データは、構造解析を用いた演算により生成されたものを含むことを特徴とする請求項７記載の構造物の異常判別システム。
【請求項９】
前記振動センサは複数の測定箇所に配置され、前記判別装置は、前記複数の測定箇所における前記振動データを同時に前記状態判別モデルに入力して前記演算結果を出力することを特徴とする請求項７又は８に記載の構造物の異常判別システム。
【請求項１０】
前記演算ユニットは、前記判別装置で前記現在状態が異常と判別された場合に、警報を発する警報装置をさらに含むことを特徴とする請求項７〜９のいずれか１項に記載の構造物の異常判別システム。
【請求項１１】
前記振動センサは遠隔地に設けられ、前記演算ユニットは、前記遠隔地で測定された前記振動データを用いて前記現在状態の判別を実行することを特徴とする請求項７〜１０のいずれか１項に記載の構造物の異常判別システム。
【請求項１２】
前記判別装置は、前記現在状態が判別された前記振動データを、前記正常振動データあるいは前記異常振動データとして前記ビッグデータに追加する機能をさらに有することを特徴とする請求項７〜１１のいずれか１項に記載の構造物の異常判別システム。
【発明の詳細な説明】
【技術分野】
【０００１】
本発明は、構造物から測定される振動データを状態判別モデルに入力することにより、前記構造物の異常を判別する構造物の異常判別方法及びそのシステムに関する。
【背景技術】
【０００２】
建築物等の構造物は、付近を走行する交通手段等から発生される定常的な振動や、地震等の非定常的な振動を受けることにより、疲労や経年による劣化が生じることがある。実際の構造物設計は、経年による劣化や地震等の突発的に大きな振動にも長期にわたって耐え得るように振動データを用いた構造解析等を用いて行われることが多い。
【０００３】
このように大型の構造物に対して、数値シミュレーションによる解析を利用した設計を行うためのデータを取得する振動試験技術として、振動の実測値に数値シミュレーションによる構造解析を組み合わせて、振動の入力に対する構造物の応答特性や損傷の予測を行う手法が知られている。そして、これらの予測データを用いたＣＡＥによる具体的な構造物の設計も実用化されている。
【０００４】
例えば、特許文献には、測定対象物である構造物に所定の振動を加える加振機を備えた加振システムと、上記所定の振動による振動応答を演算する数値シミュレーション機能及び振動応答の結果に基づいて加振条件を調整する波形生成機能を有する計算機システムと、を含む振動試験装置が開示されている。この振動試験装置において、計算機システムは、加振システムで加振される構造物の応答量を数値シミュレーション機能に入力するモデル代替機能と、当該モデル代替機能における応答量の算出結果に基づいて加振システムの作動状態を判断する異常診断処理機能と、をさらに含むことにより、複数の加振システムをネットワーク化した際に、いずれか１つの加振システムでトラブルが発生した場合であってもモデル代替機能で模擬して試験を続行できるとしている。
【先行技術文献】
【特許文献】
【０００５】
【特許文献１】特開２００３−８３８４１号公報
【発明の概要】
【発明が解決しようとする課題】
【０００６】
従来の構造物の設計は長期間の耐用年数を得ることを基本としているため、実際の構造物から振動データ等のリアルタイムのデータを測定できたとしても、異常時の測定データを得ることが困難である。例えば、特許文献１に開示された振動試験装置においても、仮に複数ある加振システムのうちの１つに異常（トラブル）が発生したとしても、その異常が発生した加振システムの動作を止めるのではなく、その加振システムの機能を代替機能でバックアップして試験を続行することを意図したものであるため、システムの異常を直接検知あるいは予測することができない。
【０００７】
そこで、本発明の目的は、構造物に取り付けたセンサから得た振動データに基づいて、リアルタイムに当該構造物の異常又はその予兆を検知できる異常判別方法及びそのシステムを提供することにある。
【課題を解決するための手段】
【０００８】
上記課題を解決するために、本発明による、構造物から測定される振動データを状態判別モデルに入力することにより、前記構造物の異常を判別する構造物の異常判別方法は、前記状態判別モデルは、データベースに格納されている正常振動データ及び異常振動データを含むビッグデータに基づいて、人工知能を含む機械学習及び統計学的手法を用いることにより作成したものであり、前記状態判別モデルに測定された前記振動データを入力し、当該状態判別モデルからの演算結果に基づいて、前記構造物の現在状態を判別することを特徴とする。
【０００９】
また、本発明による、構造物から測定される振動データを状態判別モデルに入力することにより、前記構造物の異常を判別する構造物の異常判別システムは、前記振動データを測定する振動センサと、正常振動データ及び異常振動データを含むビッグデータを格納するデータベースと、前記状態判別モデルを内蔵した演算ユニットと、を含み、前記状態判別モデルは、前記ビッグデータに基づいて人工知能を含む機械学習及び統計学的手法を用いることにより作成したものであり、前記演算ユニットは、前記状態判別モデルに測定された前記振動データを入力し、当該状態判別モデルからの演算結果に基づいて、前記構造物の現在状態を判別する判別装置をさらに含むことを特徴とする。
【００１０】
かかる発明によれば、データベースに格納されている正常振動データ及び異常振動データを含むビッグデータに基づいて、人工知能を含む機械学習及び統計学的手法を用いることにより作成した状態判別モデルに測定された前記振動データを入力し、当該状態判別モデルからの演算結果に基づいて、構造物の現在状態を判別することにより、構造物に取り付けたセンサから得た振動データに基づいて、リアルタイムに当該構造物の異常又はその予兆を検知できる。
【図面の簡単な説明】
【００１１】
【図１】本発明の代表的な一例による構造物の異常判別システムを示す概要図である。
【図２】本発明の代表的な一例による構造物の異常判別方法の手順を示すフローチャートである。
【図３】本発明の変形例による構造物の異常判別方法の手順を示すフローチャートである。
【図４】本発明の構造物の異常判別システムの代表的な適用例を示す概略図である。
【発明を実施するための形態】
【００１２】
以下、本発明の代表的な一例による構造物の異常判別方法及びそのシステムについて図面を用いて説明する。
【００１３】
図１は、本発明の代表的な一例による構造物の異常判別システムを示す概要図である。本発明の代表的な一例による構造物の異常判別システム１００は、測定対象となる構造物の振動データを測定する振動センサ１１０と、構造物の異常を判別するための状態判別モデルを内蔵した演算ユニット１２０と、振動データを格納するデータベース１３０と、を含む。そして、この構造物の異常判別システム１００の判別装置１２６は、構造物から測定される振動データを状態判別モデルＤＭ入力し、その演算結果に基づいて、当該構造物の異常を判別する。
【００１４】
振動センサ１１０は、構造物の測定箇所に直接取り付けて振動を測定するタイプや、構造物に対して非接触でもその振動を検知できるタイプのいずれのものも適用できるが、例えば、圧電センサ等の振動変位を電気信号に変換して検出するタイプが用いられる。また、図１に示す具体例において、振動センサ１１０は、測定した振動データにその取得位置（場所）や測定時刻等の固有情報を付加したもの接続線１１２を介して演算ユニット１２０に送信する。
【００１５】
演算ユニット１２０は、測定対象である構造物を模擬した構造解析モデルＳＭを含むデータ生成装置１２２と、データベース１３０に格納された振動データを用いて状態判別モデルＤＭを生成するモデル作成装置１２４と、測定された振動データが正常か異常かを状態判別モデルＤＭを用いて判別する判別装置１２６と、を含む。なお、演算ユニット１２０は、振動センサ１１０からの振動データを受信するとともに、当該構造物から得た振動データを、後述する振動解析の入力用データと異常判別に適用する診断用データとに分ける機能を有する。また、演算ユニット１２０は、図１に示す構造物の異常判別システム１００全体の動作を制御する中央制御装置（図示せず）を含んでもよい。
【００１６】
データ生成装置１２２は、構造解析モデルＳＭに模擬的振動（例えば振動センサ１１０からの入力用データ等）を入力し、数値演算による結果を振動データとしてデータベース１３０に出力する。ここで、本実施例において、構造解析モデルＳＭは、例えば有限要素法等の数値解析手法によって構造物を模擬したモデルであって、ＣＡＥ等による構造物の設計図面に基づいて、当該構造物に欠陥等の不良がない正常モデルと構造物の一部に意図的に欠陥等の不良部分を形成した異常モデルとを含むものとして構成される。これにより、データ生成装置１２２から出力される振動データは、正常モデルの演算結果による正常振動データ１３４と異常モデルの演算結果による異常振動データ１３６とを含むものとして、データベース１３０に送信される。このとき、異常振動データ１３６には、上記不良部分の重要度あるいは深刻度に応じて、異常の重みづけを示すデータが付加されてもよい。
【００１７】
モデル作成装置１２４は、後述するデータベース１３０にアクセスしてビッグデータ１３２から正常振動データ１３４及び異常振動データ１３６を読み込み、これらの振動データに基づいて人工知能を含む機械学習及び統計学的手法を用いることにより、構造物に対応した状態判別モデルＤＭを作成する。ここで、モデル作成装置１２４では、状態判別モデルＤＭを作成するにあたり、多量の振動データからなるビッグデータ１３２を用いて、統計解析を中心とした手法や、データマイニング、機械学習、ディープラーニング等のニューラルネットワークを応用した手法等の様々な手法を組合せて適用することができる。また、モデル作成装置１２４は、随時更新されるビッグデータ１３２に定期的にアクセスして、状態判別モデルＤＭを修正あるいは更新するようにしてもよい。
【００１８】
状態判別モデルＤＭは、例えば、振動センサ１１０で測定された振動データを入力した際に、その測定位置や測定時刻等の固有情報を参照して、入力された振動データが当該固有情報に対応する判別モデルを選択し、その判別モデルに照らして正常な振動状態を表すのか、あるいは異常な振動状態を表すのかを判別して出力する機能を有する。このとき、状態判別モデルＤＭの出力として状態を示す代表値を出力するように構成してもよい。また、状態判別モデルＤＭは、複数位置での振動データを同時に入力し、これら複数位置の演算結果を構造物全体の評価として統合する機能を有するように構成してもよい。
【００１９】
判別装置１２６は、大きく分けて２つの機能を有している。第１の機能は、個別の振動センサ１１０から受信した診断用の振動データを、モデル作成装置１２４で作成された状態判別モデルＤＭに入力し、その演算結果による出力に基づいて、診断される振動データが正常な状態での振動データであるか、あるいは異常な状態での振動データであるかを判別する。このとき、判別装置１２６での判別手法としては、例えば、状態判別モデルＤＭから何らかの状態を示す代表値が出力された場合に、当該代表値が所定の閾値を超えたか否かで正常か異常かを判別するものや、あるいは状態判別モデルＤＭから演算後の振動データを得て、これをデータベース１３０に保存された正常振動データ１３４又は異常振動データ１３６と対比して正常か異常かを判別するもの等を適用できる。
【００２０】
第２の機能は、第１の機能で判別した個々の振動データ（すなわち個々の振動センサ１１０の出力）が正常か異常かの状態と、データベース１３０に格納されている個々の振動センサの情報（センサの位置、異常な振動データと判別された際の構造物全体への影響度、あるいは異常な振動データの深刻度等の付加的情報）とを状態判別モデルＤＭに再度入力し、その演算結果に基づいて、構造物における異常の発生部位（範囲）やその深刻度を判別する。
【００２１】
また、演算ユニット１２０は、判別装置１２６において診断した振動データが異常と判別された場合に、警報を発する警報装置（図示せず）をさらに含むように構成してもよい。警報装置としては、例えば、ブザーやサイレン等の音声によるものや、ランプあるいはモニター等の表示によるもの、さらにはこれらを組合せたもの等が適用できる。
【００２２】
データベース１３０は、正常振動データ１３４及び異常振動データ１３６を含むビッグデータ１３２を格納する記憶手段として構成される。正常振動データ１３４及び異常振動データ１３６は、上記したデータ生成装置１２２の構造解析モデルＳＭで出力されたものや、同一の構造物について過去に取得された実際の振動データ、あるいは対象となる構造物に類似する構造物で故障等の異常が発生した際の振動データ等、様々な条件あるいは環境で生成又は測定されたものを含み得る。
【００２３】
ここで、データベース１３０は、ビッグデータ１３２として、振動データとともに当該振動データを測定した振動センサ１１０の設置位置や、その判別結果が異常であった場合の異常発生位置（範囲）、あるいはその異常の深刻度といった情報を付加して保存しておいてもよい。これらの追加情報は、構造解析モデルＳＭで正常振動データ１３４あるいは異常振動データ１３６を生成する際や、状態判別モデルＤＭを作成する際に参照される。
【００２４】
図２は、本発明の代表的な一例による構造物の異常判別方法の手順を示すフローチャートである。図２に示すように、本発明の代表的な一例による構造物の状態判別方法は、まず構造物に取り付けた１つあるいは複数の振動センサ１１０（図１参照）から振動データを取得する（ステップＳ１）。このとき、上述のとおり、図１に示したデータベース１３０に格納されたビッグデータ１３２に基づいて、モデル作成装置１２４により予め状態判別モデルＤＭを作成しておく。
【００２５】
次に、図１に示した判別装置１２６において、ステップＳ１で取得した診断用の振動データを状態判別モデルＤＭに入力し、当該状態判別モデルＤＭにて個々の振動データに対する現在状態の演算を行う（ステップＳ２）。このとき、演算により出力される現在状態としては、上述のとおり、個々の振動データにおける何らかの状態を示す代表値や、構造物を伝達した振動に基づく振動データ、あるいは亀裂の発生や変形等の状態を直接示唆するものでもよい。
【００２６】
続いて、ステップＳ２で得られた個々の振動データに対する現在状態の情報に基づいて、判別装置１２６において個々の振動データの現在状態が正常であるか異常であるかを判別する（ステップＳ３）。このとき、判別装置１２６による判別は、単に状態が正常あるいは異常であるかの情報だけでなく、例えば、状態判別モデルＤＭによる演算結果か何らかの数値や波形であった場合に、閾値（標準データ）との差分や異常状態の程度（深刻度）等の情報を付加してもよい。
【００２７】
続いて、付加的な動作として、ステップＳ３で判別した振動データをデータベース１３０に格納してデータを追加する（ステップＳ４）。このとき、ステップＳ３での判別結果が正常の場合、判別された振動データを正常振動データ１３４に追加し、判別結果が異常の場合には、判別された振動データを異常振動データ１３６に追加する。
【００２８】
なお、図２に示すフローでは、ステップＳ３の判別の後に、ステップＳ４で判別された振動データをデータベース１３０に格納する動作を例示したが、当該ステップＳ４の前に、上述のとおり、判別結果に応じてユーザーに警報を発する動作を追加してもよい。これにより、構造物の異常が発生した場合に直ちに対応策を講じることが可能となる。
【００２９】
図３は、本発明の変形例による構造物の異常判別方法の手順を示すフローチャートである。図３に示すように、本発明の変形例による構造物の状態判別方法では、図２に示したフローチャートにおけるステップＳ３の振動データの判別までは共通した動作を行い、当該ステップＳ３の後にステップＳ３ａ及びステップＳ３ｂを実行する。
【００３０】
すなわち、ステップＳ３で個々の振動データに対する判別を実行した後、ステップＳ３で取得した個々の振動データが正常か異常を判別した結果を状態判別モデルＤＭに入力し、当該状態判別モデルＤＭにて構造物全体における現在状態の再演算を行う（ステップＳ３ａ）。このとき、状態判別モデルＤＭに入力されるデータとしては、個々の振動センサ１１０の出力が正常か異常か判別した状態と、データベース１３０に格納されている個々の振動センサの情報（センサの位置、異常な振動データと判別された際の構造物全体への影響度、あるいは異常な振動データの深刻度等の付加的情報）等が含まれる。
【００３１】
続いて、ステップＳ３ａで得られた個々の振動データに対する現在状態の情報に基づいて、判別装置１２６において構造物全体の現在状態を判別する（ステップＳ３ｂ）。このとき、判別装置１２６による判別は、単に構造物の状態が正常あるいは異常であるかの情報だけでなく、例えば、状態判別モデルＤＭによる演算結果から、異常の発生部位や異常が発生する可能性がある範囲、あるいは構造物に対する異常の重要度、構造物に発生した異常の深刻度等の情報を追加してもよい。これにより、本発明による構造物の異常判別方法では、測定した振動データに加えて構造物全体の現在状態が正常であるか異常であるかを判別することができる。
【００３２】
図４は、本発明の構造物の異常判別システムの代表的な適用例を示す概略図である。図４に示すように、本発明による構造物の異常判別システム１００は、例えば、トンネル１０やビル２０等の建築物、あるいは走行するバス３０等の輸送手段に適用される。本実施例において、構造物の異常判別システム１００の振動センサ１１０は、トンネル１０やビル２０の壁面あるいはバス３０の車体等の振動が伝達して測定可能な箇所に取り付けられる。
【００３３】
なお、振動センサ１１０からの信号は、図１に示すように演算ユニット１２０と接続線１１２を介して有線で送信されても良いし、図４に示すように電磁波等の無線接続により送信されてもよい。これにより、振動の測定位置が演算ユニット１２０から離れた遠隔地にあった場合であっても、当該遠隔地で測定された振動データを用いて構造物の現在状態の判別を実行することができる。
【００３４】
振動センサ１１０で取得された振動データは演算ユニット１２０に送信され、この振動データを受信した演算ユニット１２０において、図２又は図３に示した手順にしたがって測定対象である構造物の振動データあるいは構造物自体の異常判別を実行する。また、図４に示すように、本発明による構造物の異常判別システム１００の変形例として、測定の開始指令や振動センサ１１０による測定条件を設定するための入力装置１４０と、この入力装置１４０によって入力された測定条件や構造物の各種情報さらには判別結果等を表示する表示装置１５０と、を含むように構成してもよい。
【００３５】
また、測定対象が移動する輸送手段等の場合には、図４に示した異常判別システム１００を構造物（バス３０等の輸送手段）に搭載するように構成してもよい。このような構成であれば、測定した振動データを遠隔地に送信するのが困難な環境であっても、状態判別モデルＤＭによる常時最適なモデルとして演算を行うことで、振動データや構造物の状態判別が可能となる。
【００３６】
このとき、演算ユニット１２０の状態判別モデルＤＭと判別装置１２６のみを搭載する軽量な構成を選択してもよい。このような軽量な構成であれば車載機器等の１機能として構成することも可能となる。
【００３７】
以上のような構成を備えることにより、本発明による構造物の異常判別システムは、データベースに格納されている正常振動データ及び異常振動データを含むビッグデータに基づいて、人工知能を含む機械学習及び統計学的手法を用いることにより作成した状態判別モデルに測定された振動データを入力し、当該状態判別モデルからの演算結果に基づいて、構造物の現在状態を判別することにより、構造物に取り付けたセンサから得た振動データに基づいて、リアルタイムに当該構造物の異常又はその予兆を検知できる。
【００３８】
以上、本発明による実施例及びこれに基づく変形例を説明したが、本発明は必ずしもこれらの例に限定されるものではない。また、当業者であれば、本発明の主旨又は添付した特許請求の範囲を逸脱することなく、様々な代替実施例及び改変例を見出すことができるであろう。
【００３９】
上記した具体例では、判別装置における判別において、演算結果が所定の閾値を超えた場合に現在状態が異常であると判別したものを例示したが、例えば上記所定の閾値を段階的に設定し、第１の閾値を超えたときは異常の前兆として把握し、第２の閾値を超えたときに異常を判別するようにしてもよい。これにより、構造物に異常が発生する場合の予兆を把握することが可能となる。
【００４０】
また、上記した具体例では、本発明による構造物の異常判別システムを建築物や車両等に適用した場合を例示したが、振動が伝達するものであれば、例えば山や河川等の地震振動を測定したり、あるいは航空機や船舶等の車両以外の輸送機器の振動測定に適用してもよい。
【符号の説明】
【００４１】
１０  トンネル
２０  ビル
３０  バス
１００  構造物の異常判別システム
１１０  振動センサ
１１２  接続線
１２０  演算ユニット
１２２  データ生成装置
１２４  モデル作成装置
１２６  判別装置
１３０  データベース
１３２  ビッグデータ
１３４  正常振動データ
１３６  異常振動データ
１４０  入力装置
１５０  表示装置
【図１】
2020165672.tif 000003
【図２】
2020165672.tif 000004
【図３】
2020165672.tif 000005
【図４】
2020165672.tif 000006
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
地盤や建築物からなる構造物から測定される振動データを状態判別モデルに入力することにより、前記構造物の異常を判別する構造物の異常判別方法であって、
前記状態判別モデルは、データベースに格納されている正常振動データ及び異常振動データを含むビッグデータに基づいて、人工知能を含む機械学習及び統計学的手法を用いることにより作成したものであり、
前記状態判別モデルに測定された前記振動データを入力し、当該状態判別モデルからの演算結果に基づいて、前記構造物の現在状態を判別することを特徴とする構造物の異常判別方法。
【請求項２】
前記正常振動データ及び前記異常振動データは、構造解析を用いた演算により生成されたものを含むことを特徴とする請求項１記載の構造物の異常判別方法。
【請求項３】
前記振動データは複数の測定箇所によって測定され、前記状態判別モデルは、前記複数の測定箇所における前記振動データを同時に入力して前記演算結果を出力することを特徴とする請求項１又は２に記載の構造物の異常判別方法。
【請求項４】
前記現在状態が異常と判別された場合に、警報を発することを特徴とする請求項１〜３のいずれか１項に記載の構造物の異常判別方法。
【請求項５】
前記振動データは遠隔地により測定されたものであり、前記遠隔地で測定された前記振動データを用いて前記現在状態の判別を実行することを特徴とする請求項１〜４のいずれか１項に記載の構造物の異常判別方法。
【請求項６】
前記現在状態が判別された前記振動データを、前記正常振動データあるいは前記異常振動データとして前記ビッグデータに追加することを特徴とする請求項１〜５のいずれか１項に記載の構造物の異常判別方法。
【請求項７】
地盤や建築物からなる構造物から測定される振動データを状態判別モデルに入力することにより、前記構造物の異常を判別する構造物の異常判別システムであって、
前記振動データを測定する振動センサと、正常振動データ及び異常振動データを含むビッグデータを格納するデータベースと、前記状態判別モデルを内蔵した演算ユニットと、を含み、
前記状態判別モデルは、前記ビッグデータに基づいて人工知能を含む機械学習及び統計学的手法を用いることにより作成したものであり、
前記演算ユニットは、前記状態判別モデルに測定された前記振動データを入力し、当該状態判別モデルからの演算結果に基づいて、前記構造物の現在状態を判別する判別装置をさらに含むことを特徴とする構造物の異常判別システム。
【請求項８】
前記正常振動データ及び前記異常振動データは、構造解析を用いた演算により生成されたものを含むことを特徴とする請求項７記載の構造物の異常判別システム。
【請求項９】
前記振動センサは複数の測定箇所に配置され、前記判別装置は、前記複数の測定箇所における前記振動データを同時に前記状態判別モデルに入力して前記演算結果を出力することを特徴とする請求項７又は８に記載の構造物の異常判別システム。
【請求項１０】
前記演算ユニットは、前記判別装置で前記現在状態が異常と判別された場合に、警報を発する警報装置をさらに含むことを特徴とする請求項７〜９のいずれか１項に記載の構造物の異常判別システム。
【請求項１１】
前記振動センサは遠隔地に設けられ、前記演算ユニットは、前記遠隔地で測定された前記振動データを用いて前記現在状態の判別を実行することを特徴とする請求項７〜１０のいずれか１項に記載の構造物の異常判別システム。
【請求項１２】
前記判別装置は、前記現在状態が判別された前記振動データを、前記正常振動データあるいは前記異常振動データとして前記ビッグデータに追加する機能をさらに有することを特徴とする請求項７〜１１のいずれか１項に記載の構造物の異常判別システム。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
建築物からなる構造物から測定される振動データを状態判別モデルに入力することにより、前記構造物の異常を判別する構造物の異常判別方法であって、
前記状態判別モデルは、データベースに格納されている正常振動データ及び異常振動データを含むビッグデータに基づいて、人工知能を含む機械学習及び統計学的手法を用いることにより作成したものであり、
前記状態判別モデルに測定された前記振動データを入力し、当該状態判別モデルからの演算結果に基づいて、前記構造物の現在状態を判別することを特徴とする構造物の異常判別方法。
【請求項２】
前記正常振動データ及び前記異常振動データは、構造解析を用いた演算により生成されたものを含むことを特徴とする請求項１記載の構造物の異常判別方法。
【請求項３】
前記振動データは複数の測定箇所によって測定され、前記状態判別モデルは、前記複数の測定箇所における前記振動データを同時に入力して前記演算結果を出力することを特徴とする請求項１又は２に記載の構造物の異常判別方法。
【請求項４】
前記現在状態が異常と判別された場合に、警報を発することを特徴とする請求項１〜３のいずれか１項に記載の構造物の異常判別方法。
【請求項５】
前記振動データは遠隔地により測定されたものであり、前記遠隔地で測定された前記振動データを用いて前記現在状態の判別を実行することを特徴とする請求項１〜４のいずれか１項に記載の構造物の異常判別方法。
【請求項６】
前記現在状態が判別された前記振動データを、前記正常振動データあるいは前記異常振動データとして前記ビッグデータに追加することを特徴とする請求項１〜５のいずれか１項に記載の構造物の異常判別方法。
【請求項７】
建築物からなる構造物から測定される振動データを状態判別モデルに入力することにより、前記構造物の異常を判別する構造物の異常判別システムであって、
前記振動データを測定する振動センサと、正常振動データ及び異常振動データを含むビッグデータを格納するデータベースと、前記状態判別モデルを内蔵した演算ユニットと、を含み、
前記状態判別モデルは、前記ビッグデータに基づいて人工知能を含む機械学習及び統計学的手法を用いることにより作成したものであり、
前記演算ユニットは、前記状態判別モデルに測定された前記振動データを入力し、当該状態判別モデルからの演算結果に基づいて、前記構造物の現在状態を判別する判別装置をさらに含むことを特徴とする構造物の異常判別システム。
【請求項８】
前記正常振動データ及び前記異常振動データは、構造解析を用いた演算により生成されたものを含むことを特徴とする請求項７記載の構造物の異常判別システム。
【請求項９】
前記振動センサは複数の測定箇所に配置され、前記判別装置は、前記複数の測定箇所における前記振動データを同時に前記状態判別モデルに入力して前記演算結果を出力することを特徴とする請求項７又は８に記載の構造物の異常判別システム。
【請求項１０】
前記演算ユニットは、前記判別装置で前記現在状態が異常と判別された場合に、警報を発する警報装置をさらに含むことを特徴とする請求項７〜９のいずれか１項に記載の構造物の異常判別システム。
【請求項１１】
前記振動センサは遠隔地に設けられ、前記演算ユニットは、前記遠隔地で測定された前記振動データを用いて前記現在状態の判別を実行することを特徴とする請求項７〜１０のいずれか１項に記載の構造物の異常判別システム。
【請求項１２】
前記判別装置は、前記現在状態が判別された前記振動データを、前記正常振動データあるいは前記異常振動データとして前記ビッグデータに追加する機能をさらに有することを特徴とする請求項７〜１１のいずれか１項に記載の構造物の異常判別システム。